(57)【要約】【課題】薬剤噴霧装置における誤作動防止のためのロック機構を改良する。【解決手段】上端部に薬剤噴霧用の噴霧用ステムを備える薬剤容器を交換可能に内部に収納できる収納部本体11と、この収納部本体11の上部に設けられ、薬剤容器の噴霧用ステムを押下し、薬剤を外部に噴霧することのできる噴口部16を有する押下部材12とからなる薬剤噴霧装置10に、収納部本体11の適宜位置に出没自在のロック部材20を設ける。このロック部材20は、装置の不使用時に前記押下部材12の押下を阻止してロック状態を維持し、このロック部材20を押し込むことによって前記ロック状態が解除されて前記押下部材12の押下が可能となる。押下部材12を押下して薬剤容器内の薬剤を噴口部16から外部に噴霧した後、ロック部材20が元の位置に復帰し、押下部材12が元の上方位置に復帰して押下部材の押下が阻止されて不使用時のロック状態となる。【選択図】図１
2017109750.tif 000002
【特許請求の範囲】
【請求項１】
上端部に薬剤噴霧用の噴霧用ステムを備える薬剤容器を交換可能に内部に収納できる収納部本体と、この収納部本体の上部に設けられ、前記薬剤容器の噴霧用ステムを押下し、薬剤を外部に噴霧することのできる噴口部を有する押下部材とからなる薬剤噴霧装置において、
前記収納部本体の適宜位置に出没自在のロック部材を設け、
このロック部材は、付勢手段によって前記収納部本体の外側方向に付勢されており、
このロック部材の適宜位置には係合部を設け、且つ、このロック部材の上面には上方に突出する上向き突起部を設け、
前記係合部は前記収納部本体内に設けた係合受部と相互に係合でき、前記上向き突起部と当接できる下向き突起部を前記押下部材の下面に設け、当該押下部材の下面の適宜位置には下向きの押圧部を設けて前記係合受部又は前記係合部を押圧でき、
これにより、不使用時には、前記ロック部材の上向き突起部と前記押下部材の下向き突起部とが当接して前記押下部材の押下が阻止されてロック状態となり、
前記ロック部材を収納部本体の外部から内部に向って押し込むことにより前記ロック部材の係合部が前記収納部本体内の係合受部と係合して、前記ロック部材の上向き突起部と押下部材の下向き突起部との当接が外れてロック状態が解除され、
前記押下部材を押下することにより薬剤が噴霧され、前記押下部材の押圧部の下端が前記係合受部又は前記係合部を押圧して移動させることにより、前記係合部と係合受部との係合が解除されて前記付勢手段の付勢力によりロック部材は収納部本体の内部から外部に押し戻され、前記押下部材が上方の元の位置に復帰して、前記ロック部材が押下部材の押下を阻止するロック状態となることを特徴とする薬剤噴霧装置のロック機構。
【請求項２】
前記ロック部材が、前記収納部本体内に押し込まれ、その係合部と前記収納部本体内に設けた係合受部と係合して、押下部材の押下が可能となるロック解除状態の位置と、
前記押下部材の押圧部の押圧により前記ロック解除状態が解除され、前記ロック部材が収納部本体の内部から外側に押し戻され、元の不使用時の位置に復帰したロック状態の位置との２つの位置を確保でき、
このロック状態の位置決めも前記ロック部材と前記収納部本体との共働によって行われることを特徴とする請求項１に記載の薬剤噴霧装置のロック機構。
【請求項３】
前記ロック部材の先端部に設けた係合部が下向き突起からなり、
前記係合受部が前記係合部の下向き突起と係合する２つの係合孔部からなり、
これら２つの係合孔部は、前記ロック部材の出没方向に列設され、
当該出没方向の基端側に位置する係合孔部に前記下向き突起が係合した状態がロック状態となり、
前記出没方向の先端側に位置する係合孔部に前記下向き突起が係合した状態がロック解除状態となり、
前記押下部材の下面に設けた押圧部が前記係合受部を下向きに押圧して、下方に移動させることにより、前記係合部と係合受部との係合が分離されることを特徴とする請求項２に記載の薬剤噴霧装置のロック機構。
【請求項４】
前記付勢手段が、前記ロック部材から下方に又は側方に延長する樹脂バネと、前記収納部本体の内部に設けた樹脂バネ当接部とからなり、
前記ロック部材を前記収納部本体の内部に押し込むことにより前記樹脂バネが前記樹脂バネ当接部と当接して変形し、当該ロック部材を前記収納部本体の内部から外部に向って付勢する付勢力が発生することを特徴とする請求項１乃至３の何れか１項に記載の薬剤噴霧装置のロック機構。
【請求項５】
前記押下部材がその一側縁部で収納部本体の上方開口部の一側縁部に回動自在に設けられ、この押下部材を上方に回動して、前記収納部本体の内部に薬剤容器を収納し又は取り出しできることを特徴とする請求項１乃至４の何れか１項に記載の薬剤噴霧装置のロック機構。
【発明の詳細な説明】
【技術分野】
【０００１】
本発明は、例えば害虫駆除剤や芳香剤等の薬剤が内部に収容されたエアゾール式噴霧容器やポンプ式噴霧容器を交換可能に内部に収容でき、必要な時に容器内部の薬剤を噴霧できる薬剤噴霧装置のロック機構に関するものである。
更に詳細には、このロック機構は、装置の不使用時には内部の薬剤を噴霧することが出来ない構成を有するものであって、誤作動を防止するためのものである。
【背景技術】
【０００２】
この種の従来品としては、下記特許文献１に記載のものを挙げることができる。
この特許文献に記載の薬剤放散装置は、使用者が薬剤を誤って噴射してしまうことを防止するものであって、本発明と同じ目的を有する。
【０００３】
その構成は、装置本体内に薬剤を収容した容器を装置本体内に収容し、上端に位置する噴射用ボタンを押し下げることによって、容器上端部のバルブステムを押下し、薬剤を外界に噴霧することができるものである。
そして、この装置本体には誤作動防止機構が設けられており、この誤作動防止機構であるロックレバーの一端部である突片が装置本体から外部に突出し、この突片を左右に揺動させてロック及びロック解除を行うものである。
【０００４】
即ち、このロックレバーはその中央部で軸着されており、一方の端部である前記突片を回動させると、他方の端部が逆方向に回動する構成である。
従って、この先願発明では、突片を左側に回動させると、ロックレバーの先端部が前記バルブステムの近傍から離隔するように回動移行して、噴射用ボタンの押し下げが可能となり、つまりロック解除状態となり、他方、突片を右側に位置させると、ロックレバーの先端部が前記バルブステムの近傍に位置して、噴射用ボタンの押し下げが不可能となり、ロック状態となる。
【０００５】
ここで、このロックレバーはコイルスプリングにより常に突片が右方向に付勢されており、つまりこのロックレバーは不使用時常にロック状態に維持されているのである。
従って、使用していない間は、上記コイルスプリングによって常に噴射用ボタンは押し下げ不可で、ロック状態を維持し、使用する際には、当該ロックレバーの突片を左方向に回動させることによって、ロックが解除され、噴射用ボタンの押し下げが可能となる構成である。
【先行技術文献】
【特許文献】
【０００６】
【特許文献１】特開２０１３−２４７８９９号公報
【発明の概要】
【発明が解決しようとする課題】
【０００７】
上記従来例においては、ロック解除の動作を行い、つまり、ロックレバーの外方端部である突片を左方向に回動移行させ、その突片をその位置に維持させたままの状態（ロック解除状態）で、噴射用ボタンを押し下げることによって、薬剤噴霧が行われる。
つまり、薬剤噴射の際には、突片の保持と噴射用ボタンの押下の２つの動作を同時に行う必要がある。
【０００８】
本発明においても、上記従来例と同様に、誤作動防止手段としてのロック機構の改良をその目的とするものではあるが、異なる構成を採用し、上記ロック解除の動作を行うことによって、一時的にではあるが、そのロック解除状態を維持できるようにすることをその課題とする。
【０００９】
その後、噴射用ボタンを押下することにより、上記ロック解除状態からロック状態にできるようにして、最終的に噴射用ボタンの押し下げ状態が解除されて元の上方位置に復帰した際には、元のロック状態となるような構成を創案することをその課題としている。
【００１０】
上記構成を採用するに際しては、上記従来技術と異なり、ロック部材を回動させるのではなく、ロック部材を往復動させること、つまり、薬剤容器を収納する収納部本体からロック部材を出没させる動作により、即ち、簡単な押込み動作のみで行うことができるようにすることが本発明の課題となる。
更に、収納部本体の外側から内部の薬剤容器を見通すことができるようにすること、デザインのスマートさの追求もその課題となる。
尚、この誤作動防止手段が要請されるのは、一般家庭でこの種の薬剤噴霧装置が使用される際には、子供や高齢者など様々な使用者に対しても使いやすい薬剤噴霧装置が切望されているからである。
【課題を解決するための手段】
【００１１】
上記課題を解決するために、本発明の第１のものは、上端部に薬剤噴霧用の噴霧用ステムを備える薬剤容器を交換可能に内部に収納できる収納部本体と、この収納部本体の上部に設けられ、前記薬剤容器の噴霧用ステムを押下し、薬剤を外部に噴霧することのできる噴口部を有する押下部材とからなる薬剤噴霧装置において、前記収納部本体の適宜位置に出没自在のロック部材を設け、このロック部材は、付勢手段によって前記収納部本体の外側方向に付勢されており、このロック部材の適宜位置には係合部を設け、且つ、このロック部材の上面には上方に突出する上向き突起部を設け、前記係合部は前記収納部本体内に設けた係合受部と相互に係合でき、前記上向き突起部と当接できる下向き突起部を前記押下部材の下面に設け、当該押下部材の下面の適宜位置には下向きの押圧部を設けて前記係合受部又は前記係合部を押圧でき、これにより、不使用時には、前記ロック部材の上向き突起部と前記押下部材の下向き突起部とが当接して前記押下部材の押下が阻止されてロック状態となり、前記ロック部材を収納部本体の外部から内部に向って押し込むことにより前記ロック部材の係合部が前記収納部本体内の係合受部と係合して、前記ロック部材の上向き突起部と押下部材の下向き突起部との当接が外れてロック状態が解除され、前記押下部材を押下することにより薬剤が噴霧され、前記押下部材の押圧部の下端が前記係合受部又は前記係合部を押圧して移動させることにより、前記係合部と係合受部との係合が解除されて前記付勢手段の付勢力によりロック部材は収納部本体の内部から外部に押し戻され、前記押下部材が上方の元の位置に復帰して、前記ロック部材が押下部材の押下を阻止するロック状態となることを特徴とする薬剤噴霧装置のロック機構である。
【００１２】
本発明の第２のものは、上記第１の発明において、前記ロック部材が、前記収納部本体内に押し込まれ、その係合部と前記収納部本体内に設けた係合受部と係合して、押下部材の押下が可能となるロック解除状態の位置と、前記押下部材の押圧部の押圧により前記ロック解除状態が解除され、前記ロック部材が収納部本体の内部から外側に押し戻され、元の不使用時の位置に復帰したロック状態の位置との２つの位置を確保でき、このロック状態の位置決めも前記ロック部材と前記収納部本体との共働によって行われることを特徴とする薬剤噴霧装置のロック機構である。
【００１３】
本発明の第３のものは、上記第２の発明において、前記ロック部材の先端部に設けた係合部が下向き突起からなり、前記係合受部が前記係合部の下向き突起と係合する２つの係合孔部からなり、これら２つの係合孔部は、前記ロック部材の出没方向に列設され、当該出没方向の基端側に位置する係合孔部に前記下向き突起が係合した状態がロック状態となり、前記出没方向の先端側に位置する係合孔部に前記下向き突起が係合した状態がロック解除状態となり、前記押下部材の下面に設けた押圧部が前記係合受部を下向きに押圧して、下方に移動させることにより、前記係合部と係合受部との係合が分離されることを特徴とする薬剤噴霧装置のロック機構である。
【００１４】
本発明の第４のものは、上記第１乃至第３の何れかの発明において、前記付勢手段が、前記ロック部材から下方に又は側方に延長する樹脂バネと、前記収納部本体の内部に設けた樹脂バネ当接部とからなり、前記ロック部材を前記収納部本体の内部に押し込むことにより前記樹脂バネが前記樹脂バネ当接部と当接して変形し、当該ロック部材を前記収納部本体の内部から外部に向って付勢する付勢力が発生することを特徴とする薬剤噴霧装置のロック機構である。
【００１５】
本発明の第５のものは、上記何れかの発明において、前記押下部材がその一側縁部で収納部本体の上方開口部の一側縁部に回動自在に設けられ、この押下部材を上方に回動して、前記収納部本体の内部に薬剤容器を収納し又は取り出しできることを特徴とする薬剤噴霧装置のロック機構である。
【発明の効果】
【００１６】
本発明の第１のものにおいては、薬剤容器を交換可能に内部に収納できる収納部本体と、前記薬剤容器の噴霧用ステムを押下し、薬剤を外部に噴霧することのできる押下部材とからなる薬剤噴霧装置において、収納部本体の適宜位置に出没自在のロック部材を設け、このロック部材は、装置の不使用時に前記押下部材の動作をロックし、前記ロック部材を収納部本体側に押し込むことによりロックが解除され、押下部材の押下が可能となり、ロック部材の押し込み動作のみで、簡単にロック解除ができる。
【００１７】
他方、押下部材を押し下げることにより薬剤容器内の薬剤が外部に噴霧され、ロック部材も元の位置に復帰し、押下部材が元の上方位置に復帰して、押下部材の押下が阻止されてロック状態となる。つまり、装置の不使用時の状態であるロック状態に復帰することとなるのである。
このように、ロック部材が収納部本体内に押し込まれない限り、押下部材を押し下げることができず、不使用時に押下部材が誤って押下され、装置の誤作動を防止することができることとなるのである。
従って、不必要な噴霧や子供や高齢者等の誤操作を防止することができることとなる。
【００１８】
本発明の第２のものにおいては、ロック部材の係合部と収納部本体の係合受部との関係、特にロック状態とロック解除状態の位置の特定とその位置決め構成を特定したものである。
即ち、ロック部材が収納部本体内に押し込まれ、その係合部と収納部本体内に設けた係合受部とが係合して、押下部材の押下が可能となるロック解除状態の位置と、押下部材の押圧部の押圧により前記ロック解除状態が解除され、ロック部材が収納部本体の内部から外側に押し戻され、元の不使用時の位置に復帰したロック状態の位置との２つの位置を確保でき、後者のロック状態の位置決めについてもロック部材と収納部本体との共働によって行われることを特定したものである。その効果は上記第１の発明と同じである。
【００１９】
本発明の第３のものにおいては、ロック部材の係合部及びこのロック部材と共働する収納部本体の係合受部との関係構造を特定したものである。
即ち、前記ロック部材の先端部に設けた係合部が下向き突起からなり、前記係合受部が前記係合部の下向き突起と係合する２つの係合孔部からなり、これら２つの係合孔部は、前記ロック部材の出没方向に列設され、当該出没方向の基端側に位置する係合孔部に前記下向き突起が係合した状態がロック状態となり、前記出没方向の先端側に位置する係合孔部に前記下向き突起が係合した状態がロック解除状態となり、前記押下部材の押圧部が前記係合受部を下向きに押圧して、下方に移動させることにより、前記係合部と係合受部との係合が分離されてロック解除状態が解除される構成である。
【００２０】
本発明においては、ロック部材の先端部に下向き突起からなる係合部を設け、この係合部は、収納部本体内に設けた係合受部である係合孔部と相互に係合できるために、前記ロック部材を収納部本体の内側に押し込むと、下向き突起と係合孔部とが相互に係合して一時的にその係合が維持され、ロック解除状態となるのである。
つまり、このロック解除状態が一時的に維持され、その後押下部材を押下して薬剤を噴霧することができる。
換言すれば、ロック解除動作（ロック部材を押し込む動作）と押下部材を押下する動作を別に行うことができるのである。
【００２１】
従来の噴霧装置にあっては、このロック解除動作と押下部材の押下動作とを同時に行う必要があったが、本発明においては別に行うことができることとなる。
そして、その後、薬剤を噴霧した後は、つまり、押下部材を押下すると、上記係合部と係合受部との係合が解除され、押下部材が上方の元の位置に復帰すると、ロック部材の上向き突起部と押下部材の内面に設けた下向き突起部とが再度当接してロック状態となるのである。
【００２２】
本発明の第４のものにおいては、上記発明において、付勢手段を具体化したものである。
即ち、この付勢手段が、ロック部材から下方に又は側方に延長する樹脂バネと、前記収納部本体の内部に設けた樹脂バネ当接部とからなり、前記ロック部材を前記収納部本体の内部に押し込むことにより前記樹脂バネが前記樹脂バネ当接部と当接して変形し、当該ロック部材を前記収納部本体の内部から外部に向って付勢する付勢力が発生するように構成したものである。
これにより、ロック部材は、収納部本体の外側に付勢された状態となり、前記係合部と係合受部との係合が解除されると、収納部本体の外側方向に押し戻されることとなるのである。
【００２３】
本発明の第５のものにおいては、上記発明において、押下部材がその一側縁部で収納部本体の上方開口部の一側縁部に回動自在に設けられていることを限定したものであり、これにより、この押下部材を上方に回動させて、収納部本体内に薬剤容器を収納し又は取り出したりすることができ、容易に薬剤容器を新しいものと交換することができる。
【図面の簡単な説明】
【００２４】
【図１】本発明の薬剤噴霧装置に係る一実施形態の全体を図示しており、その（Ａ）が前方側からみた斜視図、その（Ｂ）が手前側から見た斜視図である。
【図２】上記実施形態に係る噴霧装置において押下部材を上方に回動して収納部本体の内部が見える状態にした説明図であり、その（Ａ）が薬剤容器を収納していない状態を示し、その（Ｂ）が内部に薬剤容器を収納した状態を図示している。
【図３】上記実施形態に係る薬剤噴霧装置の収納部本体を図示した説明図であり、その（Ａ）が収納部本体を手前側から見た左半部を示し、その（Ｂ）が収納部本体を手前側から見た右半部を示し、その（Ｃ）が（Ｂ）図の右半部を前方側から見た状態を示し、その（Ｄ）が（Ａ）図の左半部を前方側から見た状態を示す。
【図４】上記実施形態に係る押下部材の斜視図を示し、その（Ａ）が前方上方から見た状態を、その（Ｂ）が手前側上方から見た状態を、その（Ｃ）前方側下方から見た状態を、その（Ｄ）が手前側下方から見た状態を示している。
【図５】上記実施形態に係るロック部材を示し、その（Ａ）がロック部材の基端部側上方から見た斜視図を、その（Ｂ）が側面図を示している。
【図６】上記実施形態に係る薬剤噴霧装置を示し、その（Ａ）が平面図、その（Ｂ）が（Ａ）図のＢ−Ｂ線断面図である。
【図７】図６（Ｂ）において、ロック部材を収納部本体内に押し込んだ状態を図示する断面図である。
【図８】図７の状態から押下部材を下方に押下した状態を図示する断面図である。
【発明を実施するための形態】
【００２５】
以下、添付の図面と共に本発明の一実施形態について説明する。
図１は、本発明の薬剤噴霧装置に係る一実施形態の全体を図示しており、その（Ａ）が前方側からみた斜視図、その（Ｂ）が手前側から見た斜視図である。
以下の説明では、本発明に係る薬剤噴霧装置１０の上端部にある押下部材１２を押下する側を手前側、押下部材１２が回動支持されている側を前方側という。
【００２６】
本発明に係る薬剤噴霧装置１０は、内部に薬剤容器を収納できる収納部本体１１と、この収納部本体１１の上部に配置された押下部材１２と、収納部本体１１の側面手前側に設けたロック部材２０からなり、この図１では薬剤容器を収納していない状態で、且つ、ロック状態を示している。
尚、上記押下部材１２は、薬剤噴霧用のいわゆる押しボタンのことである。
【００２７】
収納部本体１１の前方側には切欠部１３が設けられ、内部を透視することができる。
収納部本体１１の上端部には開口部１４が設けられ、この開口部１４の前方側略中央部に押下部材１２の前方略中央側縁部が回動自在に連結されている。
図中１５が回動部を示している。
【００２８】
押下部材１２の手前側を下方に矢印Ｄの方向に押下すると、押下部材１２の略中央部に設けた噴口部１６の噴口１６ｆから薬剤が前方上方向に噴霧される。
収納部本体１１の一方の側面の手前側にはロック部材２０が設けられており、このロック部材２０を収納部本体１１の内部に（矢印Ｅの方向に）押し込むことにより、ロック部材２０によるロックが解除される。
【００２９】
そして、ロックが解除された状態で、押下部材１２を押下すると、薬剤が噴口部１６の噴口１６ｆから外部に噴霧され、同時にロック部材２０は、そのロック解除状態からロック状態へと移行し、押下部材１２が上端位置である元の初期位置に復帰することによりロック部材２０はロック状態となり、押下部材１２は下方へ押下することができなくなるのである。この詳しい動作については、後の図６から図８に基づき説明する。
【００３０】
図２は、上記実施形態に係る噴霧装置において押下部材を上方に回動して収納部本体の内部が見える状態にした説明図であり、その（Ａ）が薬剤容器を収納していない状態を示し、その（Ｂ）が内部に薬剤容器を収納した状態を図示している。
この薬剤容器３０は、エアゾール噴霧容器であって、その上端部にバルブを備え、上端部から上方にバルブステム３２が延長している。
【００３１】
この薬剤容器３０は、収納部本体１１の上端開口部１４から内部に収納され、収納部本体１１の切欠部１３を通して外部から透視できる。
この実施形態では、収納部本体１１の上端開口部１４の下方の略中央に仕切り部１１ｓが設けられ、この仕切り部１１ｓに貫通孔１１ｈを設け、その貫通孔１１ｈ内に前記薬剤容器３０を収納し、その周囲を取り囲み、その位置決めを行っている。
【００３２】
この薬剤容器３０の上端のバルブステム３２と接続するのが押下部材１２の下面略中央部に設けられたステム接続部１７であって、ステム接続部１７には薬剤の流通路が形成され、この流通路の出口が噴口部１６の噴口１６ｆとなる。
【００３３】
押下部材１２は、その前方側の略中央部に回動部１５を有し、この回動部１５で収納部本体１１の開口部１４の前方略中央側縁部で軸支され、開閉することができる。
この押下部材１２が閉鎖された状態で、その裏面の上記ステム接続部１７がバルブステム３２と接続状態となる。
【００３４】
即ち、ロック部材２０のロック解除状態のときに、押下部材１２を押下すると、このステム接続部１７がバルブステム３２と接続し、このバルブステム３２を下方に押下することができ、薬剤容器３０の内部の薬剤が噴霧される。
【００３５】
また、押下部材１２の裏面には、下向き突起部１８及び押圧部１９が設けられている。
この下向き突起部１８は、薬剤噴霧装置１０の不使用時、この押下部材１２が収納部本体１１の上端開口部１４を閉鎖した状態で、ロック部材２０の上面から上方に延長する上向き突起部２８と当接して、ロック状態となる。
【００３６】
即ち、上記下向き突起部１８がロック部材２０の上向き突起部２８と当接することにより、この押下部材１２は下方に押下することが出来なくなるのである。
つまり、押下部材１２は、下方に移動できず、従って、ステム接続部１７はバルブステム３２を下向きに押下することができなくなるのである。
図２ではロック部材２０はロック状態の位置にある。
【００３７】
後に詳説するが、このロック部材２０を収納部本体１１の側に（矢印Ｅの方向に）押し込むことにより、図２には現れていないが、ロック部材２０の先端部に設けられた下向きの突起からなる係合部が係合受部９に設けた係合孔部９ｈに係合して、ロック部材２０は、押し込まれた状態に一時的に維持される。
【００３８】
これにより、押下部材１２の下向き突起部１８とロック部材２０の上向き突起部２８との相互の当接は外れ、ロックが解除された状態となる。
その後、押下部材１２を押下すると、押下部材１２の押圧部１９が収納部本体１１側の係合受部９の部分を下方に押し下げることによって、前記係合部と係合受部９の係合孔部９ｈとの相互の係合が外れて、ロック部材２０は、外側方向へ（元の位置へ）の移行が可能な状態となる。
この元の位置への移行については、後に再度説明するが、ロック部材２０の下面に設けた樹脂バネの作用によるものである。
【００３９】
このようにして、押下部材１２の押下による押圧部１９の作用により、係合受部９が押し下げられてロック部材２０によるロック解除状態が解除され、薬剤噴霧後に押下部材１２が上方位置の元の初期位置に復帰して、再度ロック部材２０の上向き突起部２８と押下部材１２の下向き突起部１８との当接が行われ、ロック状態となるのである。
以上のロック部材の動作に関しては、後の図６から図８によって再度詳細に説明する。
【００４０】
以下、図３から図５を用いて本発明に係る薬剤噴霧装置１０の各構成部材について説明する。
図３は、上記実施形態に係る薬剤噴霧装置の収納部本体を図示した説明図であり、その（Ａ）が収納部本体を手前側から見た左半部を示し、その（Ｂ）が収納部本体を手前側から見た右半部を示し、その（Ｃ）が（Ｂ）図の右半部を前方側から見た状態を示し、その（Ｄ）が（Ａ）図の左半部を前方側から見た状態を示す。
【００４１】
本発明に係る収納部本体１１は、図３に示した通り、中央で縦に二分割された左半部１１ｎと、右半部１１ｍとから成り、両者を合体して収納部本体１１が形成される。
それぞれの内側の略中央部には仕切り部１１ｓがあり、この仕切り部１１ｓの中央部に貫通孔１１ｈが設けられている。
【００４２】
前記した通り、この貫通孔１１ｈ内に薬剤容器が収納され、配置される。
左半部１１ｎには、ロック部材２０の基端部側を収納部本体１１内に押し込むための筒状のガイド部２１が設けられている。
右半部１１ｍには、ロック部材２０の先端部下面に設けた突起と係合する係合受部９が設けられ、この係合受部９には２つの係合孔部９ｈ、９ｉが設けられている。
【００４３】
この係合受部９は、薄板状に形成され、その根元部の部分のみが、仕切り部１１ｓに接続され、その先端部分を図２に示した押下部材１２の押圧部１９が下方に押圧することにより簡単に下方に撓むものである。
この係合受部９が下方に撓むと、前記ロック部材２０の先端下面の突起と係合受部９の係合孔部９ｈとの係合が外れることとなるのである。
【００４４】
上記左半部１１ｎ及び右半部１１ｍのそれぞれは、有底で、底面部１１ｂ、１１ｂが設けられている。
この底面部１１ｂ、１１ｂに薬剤容器３０が載置され、収納され、前記収納部本体１１の仕切り部１１ｓの貫通孔１１ｈがその薬剤容器３０の位置決めを行うことができる。
これにより、薬剤容器３０のバルブステム３２と押下部材１２の下面に設けられたバルブ接続部１７との位置が一致することとなる。
【００４５】
図４は、上記実施形態に係る押下部材の斜視図を示し、その（Ａ）が前方上方から見た状態を、その（Ｂ）が手前側上方から見た状態を、その（Ｃ）が前方側下方から見た状態を、その（Ｄ）が手前側下方から見た状態を示している。
これらの図から押下部材１２の構造を良く見て取ることができる。
【００４６】
この押下部材１２は、その前方略中央部に回動部１５を有しており、この回動部１５の両側からそれぞれ外側方向に回動軸部１５ｊ、回動軸部１５ｊが延長する。
これらの回動軸部１５ｊ、回動軸部１５ｊは、図３に示す軸受部１１ｊ、軸受部１１ｊと適合し、この押下部材１２は、この回動部１５を回動中心として回動する。
【００４７】
この押下部材１２の下面略中央部にはステム接続部１７が形成され、薬剤容器３０のバルブステム３２と接続する。
また、この押下部材１２の下面には、下向き突起部１８と押圧部１９が設けられ、
下向き突起部１８は、次に図５で示すロック部材２０の上向き突起部２８と相互に当接することができる。
【００４８】
前記した通り、この下向き突起部１８と上向き突起部２８とが当接した状態がロック状態となる。
また、押圧部１９も、下向き突起部１８と同様に、下向きに延長する突起部からなるものであるが、この押圧部１９は、図３で示した係合受部９を下方に押圧して、係合受部９を下方に撓ませることを目的として設けられたものである。
【００４９】
図５は、上記実施形態に係るロック部材を示し、その（Ａ）がロック部材の基端部側上方から見た斜視図を、その（Ｂ）が側面部を示している。
【００５０】
これらの図からロック部材２０の構造をよく見て取ることができる。
このロック部材２０は、その全体が合成樹脂製の棒状のものからなる。
このロック部材２０の基端部２０ｇは、収納部本体１１の側面部から外に突出する状態に設けられている（図１及び図２参照）。
その基端部２０ｇと反対側の先端部の下面には下向きに突起２０ｔからなる係合部が設けられている。
【００５１】
更に、突起２０ｔの基端部側上面には上方に突出する上向き突起部２８が形成され、その更に基端部側の下面には下方向に延長する板状体の樹脂バネ２０ｂが設けられている。
このようにロック部材２０は、棒状のものからなり、その上面又は下面に突起部や突起が設けられた形態を有するものである。
前記樹脂バネ２０ｂは、図５の状態では、何ら作用力を発揮しないが、この樹脂バネ２０ｂに当接することとなる収納部本体１１内に設けられている樹脂バネ当接部（後に説明する）が当接して、前記樹脂バネ２０ｂを撓ませることにより、その反作用として付勢力を発揮するものである。
【００５２】
以上の図３から図５で説明した収納部本体１１と押下部材１２とロック部材２０との相互作用は、以下の図６から図８を用いて説明する。
図６は、上記実施形態に係る薬剤噴霧装置を示し、その（Ａ）が平面図、その（Ｂ）が（Ａ）図のＢ−Ｂ線断面図である。
【００５３】
図６の状態は押下部材１２を下方に押下することができないロック状態であって、不使用状態の初期状態を示している。
ロック部材２０は、図中一番左に位置していて、この状態がロック状態の初期位置である。
つまり、本発明においては、この不使用時の状態が初期状態で、ロック状態となっている。
【００５４】
このロック状態においては、ロック部材２０の先端部下面に設けた係合部としての突起２０ｔは、収納部本体１１に設けられた係合受部９の２つの係合孔部９ｈ、係合孔部９ｉの内の図中左側（基端側）の係合孔部９ｉと係合している。
【００５５】
この状態で、ロック部材２０の下面に設けた板状の樹脂バネ２０ｂは、本体部１１の側面内側から突出する樹脂バネ当接部８の先端部と接触している状態であって、前記板状樹脂バネ２０ｂは少し変形した状態である。
但し、樹脂バネ２０ｂを全く変形させない状態に設定することもでき、その場合にはその付勢作用力を発揮していない状態となる。
前記樹脂バネ当接部８は、図３（Ｂ）及び（Ｃ）においても見て取れる。
【００５６】
また、ロック部材２０の上面から上方に延長する上向き突起部２８は、押下部材１２の下面から下方に延長する下向き突起部１８と相互に当接した状態で、押下部材１２は下方に押下することができないロック状態となる。
【００５７】
このロック状態を解除するためには、ロック部材２０の基端部２０ｇを図中右側方向に押し込むことによって行われる。
このロック部材２０を収納部本体１１内に押し込んだ状態を次の図７が示す。
図７は、図６（Ｂ）において、ロック部材を収納部本体内に押し込んだ状態を図示する断面図である。
【００５８】
ロック部材２０の基端部２０ｇを図中右方向に押し込むと、先端部下面の突起２０ｔは、係合受部９の２つの係合孔部９ｈ、係合孔部９ｉの内の右側の係合孔部９ｈに係合する。
この係合部としての突起２０ｔと係合孔部９ｈとの係合により、ロック部材２０は、この位置に保持される。
【００５９】
この状態で、ロック部材２０の下面に設けた板状の樹脂バネ２０ｂは、その下端部が収納部本体１１の樹脂バネ当接部８によって左方向に押し曲げられ、この反作用により、ロック部材２０は左方向に向けて付勢された状態となっている。
【００６０】
この図７の状態で、ロック部材２０の上面に設けた上向き突起部２８は、押下部材１２の下面に設けられた下向き突起部１８との当接が外れた状態となり、押下部材１２は、下方に押下することができる。つまり、ロック解除の状態となっているのである。
従って、この図７のロック解除状態により、押下部材１２を下方に押下し、押下部材１２の下面のステム接続部１７が、図示はしていないが、薬剤容器３０のバルブステム３２を押下して薬剤を噴霧することができることとなる。
【００６１】
図８は、図７の状態から押下部材を下方に押下した状態を図示する断面図である。
この図８に示した通り、押下部材１２を下方に押下すると、押下部材１２の下面に設けた下方に延長する押圧部１９の下端部が収納部本体１１内に設けられた係合受部９の部分を下方に押し下げるのである。
【００６２】
係合受部９が下方に押し下げられると、ロック部材２０の先端の突起２０ｔと係合受部９の係合孔部９ｈとの係合が分離する。
両者の係合が分離すると、変形した樹脂バネ２０ｂの反作用によりロック部材２０は、図中左方向に移動するのである。
【００６３】
そして、ロック部材２０は、元の位置に復帰するのであるが、ロック部材２０の上面の上向き突起部２８は、押下部材１２の下向き突起部１８の側面に衝突した状態となって、実際にはロック部材２０が元の位置に復帰するのであるが、上記上向き突起部２８が下向き突起部１８に衝突して一時的に変形した状態となっているのである。
【００６４】
その後、押下部材１２の押下力が除去されると、薬剤容器３０のバルブステム３２の上向き付勢力により押下部材１２は、元の上方位置に復帰し、それによりロック部材２０の上向き突起部２８と押下部材１２の下向き突起部１８の端面同士が当接できることとなるのである。
この状態が図６に図示した状態である。つまり、元の最初の状態に復帰して、押下部材１２を下方に押下することのできないロック状態となるのである。
【００６５】
以上の、図６の不使用状態（初期状態）から図７、図８の薬剤噴射状態を経て図６の状態に戻って１サイクルの動作となり、この１サイクルの連続動作によって１回の噴霧が行われるのである。
そして、１回の噴霧が完了することにより元の初期状態の不使用状態に戻り、押下部材１２の押下が阻止され、ロック状態を維持することができることとなるのである。
【００６６】
以上、本発明の実施形態について説明したが、本発明においては以下の通り種々設計変更することが可能である。
収納部本体及び押しボタンとしての押下部材の外形形状及びサイズ等は、適宜必要に応じて種々設計変更することができる。
収納部本体、押下部材及びロック部材のそれぞれは、上記実施形態において合成樹脂製のものを使用している。
【００６７】
ロック部材も収納部本体の適宜位置からその内部又は外部に向って出没自在に設けることが出来る。
上記実施形態では、係合部として突起をロック部材の先端部下面に設け、この突起と係合孔部との係合によって一時的なロック解除状態を実現したが、この突起を係合受部の側に設け、ロック部材の先端部に係合孔部を設けて実施することもできる。
つまり、上記実施形態とは逆に、突起を係合受部の側に設け、係合部を係合孔部として実施することも可能である。
【００６８】
更に、係合孔部を係合部の側に設け、しかもこの係合孔部を側方（横）方向（水平方向）に設け、この横方向孔部に係合受部としての突起を右方向又は左方向の横方向に設けて実施することもできるし、この態様とは逆に、係合受部の側に係合孔部を横方向に設け、この横方向係合孔部に係合部としての突起を横方向に設けて実施することもできるのである。
この場合、係合孔部は鉛直方向の薄板部材に水平方向に形成されることとなる。
【００６９】
上記のような諸形態の場合には、相互に係合を解除するための押圧部は、横方向の係合孔部と係合する横方向に突出する突起を押圧して、それら相互の係合を分離させることができる。
つまり、押圧部は、係合受部又は係合部としての横方向の突起を押圧して係合離脱を図ることができるのである。
【００７０】
また、この係合部と係合受部の構成は、係合部の先端を平面視矢印形状等のクビレ部を有する形状とし、係合受部の側に前記クビレ部を両側から掴持するような挟持部材で形成することによっても実施することが出来る。
この場合、挟持部材は板バネ等を利用して弾性及び可撓性を有するものから形成すればよい。
また、このクビレ部と挟持部材とは、前者を係合受部の側に後者を係合部の側に設けることも可能となる。
【００７１】
以上のように、係合部と係合受部の係合構造は、多様なバリエーションがあり、従来から存在するあらゆる係合構造を採用することができる。
そして、これらの係合構造は、押下部材の押圧部の下方への動きによって、係合部又は係合受部を押圧して離脱・分離が行われることとなるのである。
【００７２】
付勢手段を構成するロック部材の下面に設けた樹脂バネの位置も適宜変更することができ、ロック部材の先端部の係合部の作用の邪魔にならない範囲で、ロック部材の下面又は側方（横）方向（水平方向）の所望の位置に設けることができる。
この場合には、樹脂バネが設けられた位置に対応する位置に樹脂バネ当接部を収納部本体内に設ければよい。
また、樹脂バネの形状も板状体でなく、その他の適宜自由な形状に設計変更することができる。要するに、ロック部材を収納部本体の外側方向に付勢できるものであればよい。
【００７３】
ここで、上記付勢手段としては、その他各種のものが考えられる。
上記のような樹脂バネでなく、従来の金属製コイルばねを利用することも当然可能である。
このようなコイルばねを使用する場合は、ロック部材の基端部側に巻回するようにコイルばねを介装して、即ち、ロック部材の基端部側の適宜位置に鍔部を設け、この鍔部と収納部本体側との間にコイルばねを介在させて、ロック部材を常に収納部本体外側方向に付勢できる構成とすることが出来る。
【００７４】
他方、ロック部材の先端部に当接するように、収納部本体の内側から延長するようにコイルばねを設けて、ロック部材を常に収納部本体の外側方向に付勢する構成を採用することも可能である。
さらに逆に、ロック部材の先端部にコイルばねを連結して、収納部本体の内壁面に当接する構成を採用することもできる。
【００７５】
このように、付勢部材としては、従来からある種々のものを適宜自由に選択して採用することができる。
ただし、上記実施態様のように樹脂バネを用いたものにおいては、その素材が同じであり、製造も容易、コスト削減にも繋がり、廃棄に際しても便利なものとなるために、上記実施形態が最適なものとなる。
【００７６】
押下部材の前方略中央部の回動部の構成も自由に設計変更することができ、上記実施形態以外に、収納部本体の前方略中央部に軸部を設け、この軸部に押下部材の前方略中央部を回動自在に連結する構造を採用することもできる。
【００７７】
押しボタンとしての押下部材の上面に設けた噴口部の噴口の向きも自由に変更することができる。
最後に、本発明に係る薬剤噴霧装置の内部に収納する薬剤容器は、上端部にバルブステムを備えるエアゾール容器であっても、上端部にポンプを備えるポンプ式噴霧容器であってもよく、それらの容器が定量噴射機構を有するものであってもよい。
定量噴射機構を有する容器を用いた場合には、一度の噴霧操作により、一定量の噴霧が行われ、不必要な噴射の予防につながり、省エネ、省資源に寄与するものとなる。
【００７８】
以上、本発明においては、出没自在のロック部材を収納部本体の適宜位置に設け、当該ロック部材の初期状態の不使用状態においてロック状態と成し、このロック部材を収納部本体内に押し込むことにより簡単にロック解除状態とし、その後押しボタンである押下部材を押下することにより薬剤の噴霧が行われ、押下部材が上方の元の初期位置に復帰してロック部材が押下部材の押下を阻止する初期のロック状態に復帰することができ、誤作動を防止することができることとなるものである。
【符号の説明】
【００７９】
８  樹脂バネ当接部
９  係合受部
９ｈ、９ｉ  係合孔部
１０  薬剤噴霧装置
１１  収納部本体
１１ｂ  底面部
１１ｈ  貫通孔
１１ｊ  軸受部
１１ｎ  左半部
１１ｍ  右半部
１１ｓ  仕切り部
１２  押下部材
１３  切欠部
１４  開口部
１５  回動部
１５ｊ  回動軸部
１６  噴口部
１６ｆ  噴口
１７  ステム接続部
１８  下向き突起部
１９  押圧部
２０  ロック部材
２０ｂ  樹脂バネ
２０ｇ  基端部
２０ｔ  突起
２８  上向き突起部
３０  薬剤容器
３２  バルブステム
【図１】
2017109750.tif 000003
【図２】
2017109750.tif 000004
【図３】
2017109750.tif 000005
【図４】
2017109750.tif 000006
【図５】
2017109750.tif 000007
【図６】
2017109750.tif 000008
【図７】
2017109750.tif 000009
【図８】
2017109750.tif 000010